(57)【要約】  容量性電力伝送システムとして動作する吸音天井タイル２００は、非導電材料を含む第１の層２３１と、第１の層の第１の側面上に構成された、容量性電力伝送システムの少なくとも一組の受信電極２２０、２２１と、第１の層で実質的に覆われた側面を有する発泡層２４０と、誘導子２１２に且つ一組の受信電極に接続された負荷２１０であって、負荷及び誘導子が、第１の層と発泡層との間に形成されたチャンバに構成され、電力ドライバによって生成された電力信号が、誘導子、及び一組の受信電極と一組の送信電極との間に生成される容量性インピーダンスの直列共振周波数に電力信号の周波数が実質的に一致する場合に、負荷に電力を供給するために一組の送信電極から一組の受信電極２２０、２２１に無線で伝送される負荷とを含む。
2014529986.tif 000002
【特許請求の範囲】
【請求項１】
容量性電力伝送システムとして動作する吸音天井タイルであって、
非導電材料を含む第１の層と、
前記第１の層の第１の側面上に構成された前記容量性電力伝送システムの少なくとも一組の受信電極と、
前記第１の層で実質的に覆われた側面を有する発泡層と、
誘導子に且つ前記一組の受信電極に接続された負荷であって、前記負荷及び前記誘導子が、前記第１の層と前記発泡層との間に形成されたチャンバに構成され、電力ドライバによって生成された電力信号が、前記誘導子、及び一組の受信電極と一組の送信電極との間に生成された容量性インピーダンスの直列共振周波数に前記電力信号の周波数が実質的に一致する場合に、前記負荷に電力を供給するために前記一組の送信電極から前記一組の受信電極に無線で伝送される、負荷と
を含む吸音天井タイル。
【請求項２】
前記容量性電力伝送システムの前記少なくとも一組の送信電極が、前記第１の層の第２の側面上に構成され、前記第１の層の前記第１及び第２の側面が、互いに反対側にあり、
第２の層が、前記第１の層によって覆われた側面と反対側の前記発泡層の側面を実質的に覆う、請求項１に記載の吸音天井タイル。
【請求項３】
前記第１の層が、前記少なくとも一組の送信電極と前記少なくとも一組の受信電極との間に容量性インピーダンスに形成するための誘電体を構成する、請求項１に記載の吸音天井タイル。
【請求項４】
前記一組の受信電極及び前記一組の送信電極のそれぞれが、導電材料を含む、請求項１に記載の吸音天井タイル。
【請求項５】
前記導電材料が、導電塗料、導電インク、及び導電テープの少なくとも１つを含む、請求項４に記載の吸音天井タイル。
【請求項６】
前記電力ドライバが、天井を形成するために前記吸音天井タイルを吊り下げる吊り格子に接続される、請求項１に記載の吸音天井タイル。
【請求項７】
前記一組の送信電極が、前記タイルを吊り下げる吊り格子のレールであり、且つ前記吊り格子の前記レールから、前記吊り格子上に構成されたタイルの前記受信電極に前記電力信号を伝送する、請求項６に記載の吸音天井タイル。
【請求項８】
複数の吸音天井タイルの送信電極が、導電テープを用いて互いに電気的に結合される、請求項２に記載の吸音天井タイル。
【請求項９】
前記送信電極及び受信電極が、前記第２の層によって分離される、請求項２に記載の吸音天井タイル。
【請求項１０】
容量性電力伝送システムとして動作する照明吸音天井タイルであって、
非導電材料を含む第１の層と、
前記非導電材料を含む第２の層と、
前記第２の層の第１の側面上に構成された前記容量性電力伝送システムの少なくとも一組の受信電極と、
前記第１の層及び前記第２の層で両側を実質的に覆われた発泡層と、
誘導子に且つ前記一組の受信電極に接続された照明素子であって、前記照明素子及び前記誘導子が、前記発泡層と第１の層との間に形成されたチャンバに構成され、電力ドライバによって生成された電力信号が、前記誘導子、及び前記一組の受信電極と一組の送信電極との間で生成される容量性インピーダンスの直列共振周波数に前記電力信号の周波数が実質的に一致する場合に、前記照明素子に電力を供給するために前記一組の送信電極から前記一組の受信電極に無線で伝送される照明素子と
を含む照明吸音天井タイル。
【請求項１１】
前記容量性電力伝送システムの前記少なくとも一組の送信電極が、前記第２の層の第２の側面上に構成され、前記第２の層の前記第１及び第２の側面が互いに反対側である、請求項１０に記載の照明吸音天井タイル。
【請求項１２】
少なくとも前記第２の層が、前記容量性インピーダンス用の誘電体を構成し、前記第２の層の前記非導電材料が、透明又は半透明材料の何れか１つである、請求項１１に記載の照明吸音天井タイル。
【請求項１３】
前記照明素子が、ＬＥＤ、ＬＥＤストリング、ランプ、及び有機発光ダイオード（ＯＬＥＤ）面の何れか１つであり、前記発泡体が音響低減用に構成される、請求項１０に記載の照明吸音天井タイル。
【請求項１４】
容量性電力伝送システムとして動作する吸音天井タイルを製作するための方法であって、
非導電材料から第１の層を形成することと、
前記第１の層の両側に一組の受信電極及び一組の送信電極を形成することと、
発泡層を形成することと、
前記発泡層と前記第１の層との間にチャンバを形成することと、
前記発泡層と前記第１の層との間に形成された前記チャンバ内に少なくとも負荷及び誘導子を構成することと、
前記誘導子に且つ前記一組の受信電極に前記負荷を直列に接続することと、
第２の層を形成することと、
前記発泡層の両側に前記第１の層及び前記第２の層を付着させることと
を含む方法。
【発明の詳細な説明】
【技術分野】
【０００１】
関連出願の相互参照
本出願は、２０１１年８月１６日に出願された米国仮特許出願第６１／５２３，９５３号、２０１１年１０月１８日に出願された米国仮特許出願第６１／５４８，３９７号、及び２０１２年５月２１日に出願された米国仮特許出願第６１／６４９，４９８号の利益を主張する。
【０００２】
本発明は、一般に容量性電力伝送に関し、より具体的には容量性電力伝送を用いた電力分配用の表面を覆う導電層の使用に関する。
【背景技術】
【０００３】
無線電力伝送は、如何なるワイヤも接点もなしに電力を供給することを指し、それによって電子装置の電力供給は、無線媒体を介して実行される。非接触電力供給用の普及している一用途は、携帯電子装置、例えば携帯電話、ラップトップコンピュータ等の充電用である。
【０００４】
無線電力伝送の一実装形態は、誘導電力供給システムによる。かかるシステムにおいて、電源（送信機）と装置（受信機）との間の電磁インダクタンスが、非接触電力伝送を可能にする。送信機及び受信機の両方が電気コイルを取り付けられ、物理的に接近された場合に、電気信号が、生成された磁界によって送信機から受信機まで流れる。
【０００５】
誘導電力供給システムにおいて、生成された磁界は、コイル内に集中される。その結果、受信機受信フィールドへの電力伝送は、空間において非常に集中される。この現象は、システムの効率を制限する、システムのホットスポットを生じる。電力伝送の効率を改善するために、各コイル用の高品質係数が必要とされる。この目的のために、コイルは、インダクタンス対抵抗の最適比で特徴付けられ、低抵抗の材料で構成され、且つ表皮効果を低減するためにリッツ線プロセスを用いて製造されなければならない。更に、コイルは、渦電流を回避するための複雑なジオメトリを満たすように設計されなければならない。従って、効率的な誘導電力供給システムのためには、高価なコイルが必要とされる。大きな面積用の非接触電力伝送システムの設計は、多くの高価なコイルを必要とし、それにより、かかる用途に関して、誘導電力供給システムは、実現不可能となり得る。
【０００６】
容量性結合は、無線で電力を伝送するための別の技術である。この技術は、データ転送及び検出用途で主に利用される。自動車内において、受信素子を備えた窓に接着されたカーラジオアンテナが、容量性結合の例である。容量性結合技術はまた、電子装置の非接触充電用に利用される。かかる用途のために、（容量性結合を実行する）充電ユニットは、装置の固有の共振周波数外の周波数で動作する。
【０００７】
容量性電力伝送システムはまた、例えば平坦な構造を有する窓等大きな面積にわたって電力を伝送するために利用され得る。例が、図１に示されている容量性電力伝送システム１００である。図１に示されているように、かかるシステムの典型的な配置は、負荷１２０及び誘導子１３０に接続された一組の受信電極１１１、１１２を含む。システム１００はまた、電力ドライバ１５０に接続された一組の送信電極１４１、１４２、及び絶縁層１６０を含む。
【０００８】
送信電極１４１、１４２は、絶縁層１６０の一側面に結合され、受信電極１１１、１１２は、絶縁層１６０の他方の側面に結合される。この配置は、送信電極１４１、１４２及び受信電極１１１、１１２のペア間に容量性インピーダンスを形成する。従って、電力ドライバによって生成された電力信号は、電力信号の周波数がシステムの直列共振周波数と実質的に一致する場合に、負荷１２０に電力を供給するために送信電極１４１、１４２から受信電極１１１、１１２に無線で伝送され得る。システム１００の直列共振周波数は、送信電極１４１、１４２及び受信電極１１１、１１２のペア間の容量性インピーダンス（図１におけるＣ１及びＣ２）の関数であると同様に、誘導子１３０及び／又は誘導子１３１の誘導値の関数である。負荷は、例えば、ＬＥＤ、ＬＥＤストリング、ランプ等であっても良い。一例として、システム１００は、天井に取り付けられた照明器具に電力を供給するために利用され得る。
【０００９】
大きな天井面にわたる無線電力伝送を可能にするためには、天井の美的な特徴を犠牲にせずに、表面に沿った何れか任意の位置で電力を効率的に供給することの困難がある。別の困難は、図１に示されているシステムにおいて、絶縁層１６０が、システムの基礎構造の一部であり、それによって変更が、一般に天井面において、特に吸音天井タイルにおいて容量性電力供給システムの動作を可能にするようになされなければならないということである。
【００１０】
米国特許出願公開第２００４／００２２０５８号は、支持面に位置する電源によって電力を供給される埋め込みＬＥＤ並びに制御装置及び検出装置を含む照明タイルを開示する。照明タイルは、金属化ストリップを含み、これらの金属化ストリップは、支持面上のアレイに配置されたそれぞれの導電素子と容量性結合を形成するように動作可能である。支持面上の導電素子は、電源に接続される。しかしながら、かかる配置は、吸音天井タイルとして利用され得ない。何故なら、導電素子（例えば送信電極）が、支持面に付着し、その一体部分を形成するからである。
【００１１】
吸音天井タイルは、装飾及び吸音の機能を提供する。典型的には、かかるタイルは、装飾層で覆われた発泡層を含む。発泡層は、典型的には、音響反射を低減する、装飾層（例えば塗料層）を備えた鉱物綿の厚い基板である。鉱物綿層は、タイルの機械的強度もまた提供する、音響雑音に対するバリアである。吸音天井タイルは、吊り天井システムに取り付けられても良い。
【発明の概要】
【発明が解決しようとする課題】
【００１２】
タイルの装飾特性及び雑音低減特性を維持しながら、容量性電力伝送によって負荷（例えば照明源）に電力を供給できる吸音天井タイルを提供することが望ましい。
【課題を解決するための手段】
【００１３】
本明細書で開示されるある実施形態は、容量性電力伝送システムとして動作する吸音天井タイルを含む。吸音天井タイルは、非導電材料を含む第１の層と、第１の層の第１の側面上に構成された容量性電力伝送システムの少なくとも一組の受信電極と、第１の層で実質的に覆われた側面を有する発泡層と、誘導子に且つ一組の受信電極に接続された負荷であって、負荷及び誘導子が、第１の層と発泡層との間に形成されたチャンバに構成され、電力ドライバによって生成された電力信号が、誘導子、及び一組の受信電極と一組の送信電極との間で生成された容量性インピーダンスの直列共振周波数に電力信号の周波数が実質的に一致する場合に、負荷に電力を供給するために一組の送信電極から一組の受信電極に無線で伝送される負荷とを含む。
【００１４】
本明細書で開示される特定の実施形態はまた、容量性電力伝送システムとして動作する照明吸音天井タイルを含む。照明吸音天井タイルは、非導電材料を含む第１の層と、非導電材料を含む第２の層と、第２の層の第１の側面上に構成された容量性電力伝送システムの少なくとも一組の受信電極と、第１の層及び第２の層で両側を実質的に覆われた発泡層と、誘導子に且つ一組の受信電極に接続された照明素子であって、照明素子及び誘導子が、発泡層と第１の層との間に形成されたチャンバに構成され、電力ドライバによって生成された電力信号が、誘導子、及び一組の受信電極と一組の送信電極との間で生成される容量性インピーダンスの直列共振周波数に電力信号の周波数が実質的に一致する場合に、照明素子に電力を供給するために一組の送信電極から一組の受信電極に無線で伝送される照明素子とを含む。
【００１５】
本明細書で開示されるある実施形態はまた、容量性電力伝送システムとして動作する吸音天井タイルを製造するための方法を含む。方法は、非導電材料から第１の層を形成することと、一組の受信電極及び一組の送信電極を第１の層の両側に形成することと、発泡層を形成することと、発泡層と第１の層との間にチャンバを形成することと、発泡層と第１の層との間に形成されたチャンバ内に少なくとも負荷及び誘導子を構成することと、誘導子及び一組の受信電極に負荷を直列に接続することと、第２の層を形成することと、発泡層の両側に第１及び第２の層を付着させることとを含む。
【００１６】
本発明として見なされる主題は、本明細書の終わりに特許請求の範囲で特に指摘され、明確に請求される。本発明の前述の特徴並びに他の特徴及び利点は、添付の図面に関連して書かれた以下の詳細な説明から明白になる。
【図面の簡単な説明】
【００１７】
【図１】大きな面積にわたる電力伝送用に利用される容量性電力伝送システムを示す。
【図２】実施形態による容量性電力伝送システムとして動作される吸音天井タイルの断面図を示す。
【図３Ａ】吸音天井タイルに含まれる受信電極の可能な配置を示す。
【図３Ｂ】吸音天井タイルに含まれる受信電極の可能な配置を示す。
【図４】別の実施形態による容量性電力伝送システムとして動作される吸音天井タイルの断面図を示す。
【図５】実施形態による容量性電力伝送システムとして動作される照明吸音天井タイルの断面図を示す。
【図６】一実施形態による電力ドライバへの吸音天井タイルの接続を示す図である。
【図７】別の実施形態による電力ドライバへの吸音天井タイルの接続を示す図である。
【図８】容量性電力伝送システムとして動作可能な吸音天井タイルの製造方法を説明するフローチャートである。
【発明を実施するための形態】
【００１８】
開示される実施形態が、本明細書の発明の教示における多くの有利な使用の単なる例であることに留意することが重要である。一般に、本出願の明細書においてなされる言明は、様々な請求される発明のいずれも必ずしも限定しない。更に、幾つかの言明は、幾つかの発明の特徴には当てはまるが、他の特徴には当てはまらない場合がある。一般に、別段の指示がない限り、単数形の要素は、一般性を失うことなく複数であっても良く、逆も同様である。図面において、同様の数字は、複数の図を通して同様の部分を指す。
【００１９】
図２は、一実施形態による容量性無線電力システムとして動作するように設計された吸音天井タイル２００の例示的で非限定的な断面図を示す。吸音天井タイル２００は、負荷２１０に無線で電力を供給する容量性無線電力システムとして動作するように設計される。この目的で、負荷２１０は、誘導子２１２に直列に接続され、それらは、共に、少なくとも一組の受信電極２２０、２２１に接続される。図２に示されている本発明の実施形態において、負荷２１０、誘導子２１２、及び受信電極２２０、２２１は、吸音天井タイル２００の発泡層２４０を覆う層の１つ（例えば２３１）における間に組み立てられる。発泡層２４０は、例えば鉱物綿の基板を用いて作製されても良い。他方の層は、層２３２である。
【００２０】
層２３１、２３２は、典型的には、塗料層によってコーティングされたファイバ材料等の非導電材料で作製される。層のそれぞれの厚さは、典型的には、約数十マイクロメートルである。層２３１は、容量性電力伝送システムの絶縁層である。層２３１、２３２はまた、天井タイル２００の装飾的又は美的な部分として外観用に構成され、従ってタイルの装飾層を形成しても良い。
【００２１】
受信電極２２０、２２１は、例えば、炭素、アルミニウム、インジウム錫酸化物（ＩＴＯ）、ポリ（３，４−エチレンジオキシチオフェン）（ＰＥＤＯＴ）等の有機材料、銅、銀を含む導電材料、又は任意の導電材料で作製される。好ましい実施形態において、受信電極２２０、２２１は、例えば導電インク、導電塗料等で作製されるが、それらは、装飾層２３１上に塗装、印刷、又は蒸着及びスパッタリング技術を用いて追加され得る。
【００２２】
図３Ａに示されている一実施形態において、一組の受信電極２２０、２２１は、天井タイル２００の幅又は長さに沿って２つのストライプとして形成される。２つのストライプ間の距離は、用途に基づいて決定されても良い。別の実施形態によれば、受信電極２２０、２２１は、任意の形状（例えば、長方形、円形、正方形、又はそれらの組み合わせ）を用いて形成されても良い。
【００２３】
図３Ｂに示されている更に別の構成において、受信電極２２０、２２１は、隣接して交互に配置された２つのストライプである。電極２２０、２２１は、正電位又は負電位に交互に結合され得る。電極２２０、２２１を互いに近くに配置することによって、電界が、より長い距離で相殺されることに留意されるべきである。これは、ＥＭＦ及びＥＭＣ規則の遵守には有利になり得る。
【００２４】
図４に示されている別の実施形態によれば、天井タイルは、負荷２１０及び誘導子２１２が、発泡層２４０と層の１つ（例えば層２３１）との間に接続され、その一方で、受信電極２２０、２２１が、発泡層２４０と別の層（例えば層２３２）との間に接続されるような方法で、構成される。図４に示されているように、負荷２１０、誘導子２１２、及び受信電極２２０、２２１間でガルバニック接触がなされる。
【００２５】
負荷２１０に電力を供給するために、ドライバ４２０に接続された一組の送信電極４１０、４１１が、送信電極４１０、４１１が、受信電極２２０、２２１に重なるような方法で、受信電極２２０、２２１に隣接して配置される。電極２２０、２２１及び４１０、４１１は、容量性電力伝送システムの絶縁層として機能する層２３２によって分離される。その結果、容量性インピーダンスが、受信電極及び送信電極の２２０、２２１及び４１０、４１１間にそれぞれ形成される。このインピーダンスは、誘導子２１２と共に、容量性電力伝送システムが共振できるようにする。特定の構成において、誘導素子（図示されず）が、ドライバ４２０に接続されても良い。
【００２６】
天井タイル２００（図２又は図４の何れかに示されている構成のもの）が、容量性電力伝送システムとして効率的に動作できるようにするために、電力ドライバ４２０は、コンデンサ（容量性インピーダンスと等しい）及び誘導子２１２の直列からなる回路の直列共振周波数と実質的に同じ周波数を有するＡＣ電力信号を出力する。かかるコンデンサ及び誘導子のインピーダンスは、共振周波数で互いを相殺し、低抵抗回路に帰着する。負荷２１０は、誘導子２１２を含んでも含まなくても良いＰＣＢ上に接続されても良い。別の構成において、負荷２１０及び誘導子２１２は、ワイヤ格子上に接続されても良い。
【００２７】
電力ドライバ４２０は、ガルバニック接触又は容量性入力結合によって、送信電極４１０、４１１に接続されても良い。負荷２１０は、限定されるわけではないが、照明素子（例えば、ＬＥＤ、ＬＥＤストリング、ランプ等）、有機発光ダイオード（ＯＬＥＤ）面、プロジェクタ、ＬＥＤディスプレイ、ラウドスピーカ等であっても良い。
【００２８】
送信電極４１０、４１１は、上記で言及された材料の１つであっても良い導電材料で作製される。送信電極４１０、４１１は、導電塗料として塗装されるか、導電インクを用いて印刷されるか、導電テープとして接着されるか、又は蒸着及びスパッタリング技術を用いて形成されても良い。
【００２９】
実施形態において、天井タイル２００は、図５に示されているような照明するタイル５００を形成するために、負荷５１０として照明素子を含むように構成される。層５３１は、透明又は半透明の非導電材料で作製される。従って、照明素子５１０（例えば負荷）が無線で電力を供給される場合の例示的な構成において、光は、天井から床へ下向きに照明する。
【００３０】
受信電極５２０、５２１のそれぞれは、ピン形コネクタ５０１に接続される。ピン形コネクタ５０１は、発泡層５４０を通して押し付けられ、機械的圧力によって共に保持される。ピン形コネクタ５０１は、照明素子５１０及び任意選択の誘導子５１２を保持するために発泡層５４０の一部を切断することによって作られるチャンバで終端する。層５３２が、発泡層５４０の他方の側面を覆う。
【００３１】
照明素子５１０は、例えば、ＬＥＤ、ＬＥＤストリング、ランプ、有機発光ダイオード（ＯＬＥＤ：organic light emitting diode）面等であっても良い。特定の構成において、発泡層５４０と層５３１、５３２との間に形成されたチャンバに、コントローラ又は電子回路（両方とも図５には示されていない）がまた、接続されても良い。照明素子５１０及び誘導子５１２は、ＰＣＢ、ワイヤ格子等の上に接続され得る。電子回路は、（ａ）照明素子５１０が、直列共振周波数で電力を供給されるように、回路を調整するように構成された自動調整回路、（ｂ）ＤＣ電流で負荷を駆動する整流回路、又は（ｃ）照明素子５１０を調光できるようにするコントローラを含んでも良い。照明素子５１０は、ＬＥＤの構成を直列、並列、及び／又は逆並列に含んでも良い。
【００３２】
一実施形態において、照明天井タイル５００は、部屋の全般的な照明を提供するために十分な光束を供給するように設計される。天井全体が覆われる場合に、光の光束は、６０×６０ｃｍのタイル当たり３００〜４００ルーメンに及び得る。別の構成において、タイルが、本照明システムの位置にのみ配置される場合に、即ち、天井におけるあるタイルだけが照明天井タイルである場合に、光束は、１タイル当たり３０００〜４０００ルーメンに及び得る。
【００３３】
本発明の様々な実施形態に従って設計される吸音天井タイル（例えば、タイル２００及び５００）が、天井タイルを保持するように構成された吊り格子にタイルを配置することによって取り付けられ得ることが更に理解されるべきである。従って、本明細書で開示される天井タイルの取り付けは、請負業者又は建築業者に周知の天井タイルを取り付けるための周知の現行技術を用いて実行される。層５３１及び５３２はまた、天井タイル５００の装飾的又は美的部分としての外観のために構成され、それによってタイルの装飾層として機能しても良い。
【００３４】
例えば、照明天井タイル５００は、部屋を照明して、装飾及び吸音特性を提供するために使用され得る。かかるタイルの取り付けは、例えば、タイルを吊り格子に配置することを必要とする。他方において、天井に照明素子を取り付けることは、照明器具を取り付け、且つその器具を電力出力口に配線するために、電気工が天井に穴をあけることを必要とする。
【００３５】
図６は、本発明の実施形態に従って、電力ドライバへの吸音天井タイルの接続を示す例示的且つ非限定的な断面図を示す。天井タイルは、電力ドライバ６１０に接続された吊り格子に取り付けられる。図６に示されている図において、ドライバ６１０は、ガルバニック接触によって接続される。しかしながら、かかる接続は、代替として、容量性入力結合によってなされても良い。
【００３６】
吊り格子は、典型的には、導電材料、例えば鉄、鋼、又はアルミニウムで作製される。吊り格子の外側（即ち、天井を見た場合に見える部分）は、非導電材料で塗装されても金属酸化物でコーティングされても良い。吊り格子のレール６０１、６０２は、容量性電力伝送システムの送信電極として機能する。受信電極２２０、２２１が、吊り格子の内部に面しているので、電気接触は、レール６０１、６０２及び電極２２０、２２１間で確立される。
【００３７】
ドライバ６１０は、容量性インピーダンス及び誘導子２１２の直列共振周波数と実質的に一致する周波数を有するＡＣ電力信号を出力する。かかるコンデンサ及び誘導子のインピーダンスは、共振周波数で互いを相殺し、低抵抗回路に帰着する。ＡＣ電力信号の振幅は、負荷２１０に電力を供給するのに必要とされる振幅である。電力が、同じ方法で照明天井タイル５００に供給され得ることが理解されるべきである。
【００３８】
図７に示されている別の実施形態によれば、タイルアレイ７００の電気接続は、導電テープ７１０によって達成される。この実施形態によれば、送信電極７０１、７０２は、その隣接タイルの電極へ、導電テープ７１０によって接続される。送信電極７０１、７０２は、導電塗料、導電インク、又は導電テープであっても良い。導電テープ７１０は、銅テープ等の金属接着テープで作製されても良い。
【００３９】
タイルの１つにおいて送信電極７０１、７０２だけが、電力ドライバ７２０に接続される。かかる接続は、ガルバニック接触又は容量性入力結合によっても良い。電力信号は、上記で説明されたような容量性結合によって、受信電極（図７には示されていない）に伝送される。タイル７００のそれぞれは、吸音天井タイル２００又は５００として構成される。タイル７００の受信電極は、送信電極（７０１，７０２）が形成される層の反対側面上でタイル７００の長さに沿って、２つのストライプとして形成され得る。
【００４０】
本発明の特定の実施形態に従って設計された容量性電力伝送システムとして動作する吸音天井タイルは、大量生産プロセスを用いて製造され得る。具体的には、吸音タイル用の本発明の大量生産プロセスは、吸音天井タイル２００及び／又は照明タイル５００の製造を可能にするように修正され得る。
【００４１】
図８は、一実施形態による容量性電力伝送システムとして動作するように構成された吸音天井タイル等のタイルの製造方法を示す非限定的且つ例示的なフローチャート８００を示す。Ｓ８１０において、第１の層が形成される。第１の層は、装飾層として機能することができるが、塗料層によってコーティングされたファイバ材料で作製される。一実施形態において、塗料層は、音響反射を低減するように設計された構造を有する。第１の層の厚さは、典型的には、約数十マイクロメートルである。第１の層は、容量性電力伝送システムの絶縁層として機能する。
【００４２】
Ｓ８２０において、一組の導電電極が、第１の層の上側及び下側に配置される。電極は、導電塗料として塗装されても、導電インクを用いて印刷されても、導電テープとして接着されても、蒸着及びスパッタリング技術を用いて形成されても良い。
【００４３】
Ｓ８３０において、チャンバが、発泡層（例えば、固体鉱物綿材料又は他の遮音材料）の一部を切断することによって作製される。チャンバは、タイルの吸音機能が維持される方法で形作られる。チャンバは、容量性電力伝送システムの少なくとも負荷及び誘導子を含む。特定の構成において、チャンバはまた、電子回路を含むように設計される。
【００４４】
Ｓ８４０において、表示器及び負荷（例えば照明素子）が、受信電極として機能する電極に接続される。一実施形態において、接続は、ピン形コネクタ及び半田付けプロセスを用いて達成される。Ｓ８５０において、第２の層が、タイルの組み立てを完了するために、発泡層の他方の側を覆うように形成される。第２の層は、第１の層として同じ材料を用いて作製されても良い。一実施形態において、製造されたタイルの第１及び第２の層はまた、天井タイルの装飾的又は美的な部分としての外観用に構成され、それによって、タイルの装飾層として機能しても良い。
【００４５】
当業者は、本明細書で提供される説明が、単に実例を示す目的であり、他の実施形態が、本発明の範囲から逸脱せずに可能であることを容易に理解されよう。例えば、提供される説明は、吸音天井タイルに関連しているが、本明細書で開示される実施形態は、吸音天井タイルに限定されると考えられるべきではない。例えば、織物材料（例えば長椅子）を含む家具、個室の壁等が、本明細書で開示されている吸音天井タイルとして構成され得る。
【００４６】
本発明が、かなり詳細に、且つ幾つかの説明された実施形態に関してある特定性を用いて説明されたが、本発明が、かかる特定性又は実施形態の何れにも、如何なる特定の実施形態にも限定されるべきであるとは意図されておらず、本発明は、先行技術を考慮して添付の請求項の可能な限り広い解釈を提供するように、従って本発明の意図された範囲を有効に包含するように、添付の請求項を参照して解釈されるべきである。更に、前述のものは、実施可能な説明が得られた、発明者によって予見される実施形態の観点から本発明を説明しているが、それにも関わらず、現在予見されていないわずかな修正がなお、本発明に対する均等物を表し得る。
【図３Ａ】
2014529986.tif 000003
【図３Ｂ】
2014529986.tif 000004
【図５】
2014529986.tif 000005
【図７】
2014529986.tif 000006
【図１】
2014529986.tif 000007
【図２】
2014529986.tif 000008
【図４】
2014529986.tif 000009
【図６】
2014529986.tif 000010
【図８】
2014529986.tif 000011
【国際調査報告】
2014529986.tif 000012
2014529986.tif 000013
2014529986.tif 000014